(57)【特許請求の範囲】
【請求項１】
電話機能とメール送受信機能とバイブレータを少なくとも備え、かつ、あらかじめ登録した１ないし複数の登録定型メールの中から送信しようとする送信用メールを選択するための操作用のキーとしてあらかじめ定めたメール選択キーと、選択した前記送信用メールの送信先となる送信宛先をあらかじめ登録した１ないし複数の登録宛先の中から選択するための操作用のキーとしてあらかじめ定めた宛先選択キーとを、表示部の画面や操作部を見ることなく操作することができる位置に配置している携帯端末装置におけるメール送信方法であって、
前記宛先選択キーの長押し操作時の押下時間の長さにより、１ないし複数の前記登録宛先の中から前記送信宛先を選択する宛先選択ステップと、
前記宛先選択ステップにおいて、宛先の選択が成功したか否か判断し、宛先の選択が失敗した場合には、前記バイブレータを振動させ、且つメールを送信せずに終了する判断ステップと、
前記判断ステップにおいて、宛先の選択が成功した場合に、前記メール選択キーの長押し操作時の押下時間の長さにより、１ないし複数の前記登録定型メールの中から前記送信用メールを選択するメール選択ステップと、
選択した前記送信用メールと選択した前記送信宛先とを組み合わせて電子メールを作成して、作成した該電子メールをメール送信する送信ステップと、を備えることを特徴とするメール送信方法。
【請求項２】
前記メール選択キーの押下時間の長さがあらかじめ定めた単位時間の何倍に該当しているかを示す該単位時間の経過回数を、前記登録定型メールの選択用の番号として用い、前記宛先選択キーの押下時間の長さがあらかじめ定めた単位時間の何倍に該当しているかを示す該単位時間の経過回数を、前記登録宛先の選択用の番号として用いることを特徴とする請求項１に記載のメール送信方法。
【請求項３】
前記メール選択キーと前記宛先選択キーとを、前記携帯端末装置の筐体の側面部に配置したサイドキーとして備えていることを特徴とする請求項１または２に記載のメール送信方法。
【請求項４】
前記メール選択キーと前記宛先選択キーとして、物理的に同一の一つのキーを用いることを特徴とする請求項１ないし３のいずれかに記載のメール送信方法。
【請求項５】
あらかじめ登録した前記登録定型メールの中から前記送信用メールを選択する選択操作の開始通知、および、あらかじめ登録した前記登録宛先の中から前記送信宛先を選択する選択操作の開始通知を、前記バイブレータの振動により、ユーザに対して通知することを特徴とする請求項１ないし４のいずれかに記載のメール送信方法。
【請求項６】
前記送信用メールを選択する選択操作の開始通知と前記送信宛先を選択する選択操作の開始通知と宛先の選択が失敗した場合とは、前記バイブレータが振動する振動モードが異なることを特徴とする請求項５に記載のメール送信方法。
【請求項７】
未応答の電話着信があった場合、前記登録定型メールの中から選択した前記送信用メールの送信先となる送信宛先を、前記登録宛先の中から前記宛先選択キーにより選択する代わりに、未応答電話着信の相手のメールアドレスを電話帳の中から検索し、検索した該メールアドレスと前記登録定型メールの中から選択した前記送信用メールとを組み合わせて電子メールを作成して、作成した該電子メールをメール送信することを特徴とする請求項１ないし６のいずれかに記載のメール送信方法。
【請求項８】
電話機能とメール送受信機能とバイブレータとを少なくとも備え、かつ、あらかじめ登録した１ないし複数の登録定型メールの中から送信しようとする送信用メールを選択するための操作用のキーとしてあらかじめ定めたメール選択キーと、選択した前記送信用メールの送信先となる送信宛先をあらかじめ登録した１ないし複数の登録宛先の中から選択するための操作用のキーとしてあらかじめ定めた宛先選択キーとを、表示部の画面や操作部を見ることなく操作することができる位置に配置している携帯端末装置であって、前記メール選択キーの長押し操作時の押下時間の長さにより、１ないし複数の前記登録定型メールの中から前記送信用メールを選択し、かつ、前記宛先選択キーの長押し操作時の押下時間の長さにより、１ないし複数の前記登録宛先の中から前記送信宛先を選択して、メール宛先選択において、宛先の選択が成功したか否か判断し、宛先の選択が失敗した場合には、前記バイブレータを振動させ、メールを送信せずに終了し、宛先の選択が成功した場合には、選択した前記送信用メールと選択した前記送信宛先とを組み合わせて電子メールを作成して、作成した該電子メールをメール送信することを特徴とする携帯端末装置。
【請求項９】
請求項１ないし７のいずれかに記載のメール送信方法を、コンピュータによって実行可能なプログラムとして実施していることを特徴とするメール送信プログラム。
【発明の詳細な説明】
【技術分野】
【０００１】
本発明は、メール送信方法、携帯端末装置およびメール送信プログラムに関する。本発明は、電話機能を備え、かつ、インターネット網に接続して電子メールを送受信するメールソフトを実装し、かつ、操作部としてキー、静電容量パッド、タッチパネルなどを有している携帯端末装置であれば、如何なる種類の端末装置であっても、好適に適用することが可能であり、携帯電話端末、ＰＨＳ（Personal Handy-Phone System）端末、携帯情報端末（ＰＤＡ：Personal Digital Assistants）、パーソナルコンピュータ(ＰＣ：Personal Computer)等の機器に適用することができる。
【背景技術】
【０００２】
携帯電話端末のような携帯端末装置は、通信機能としての利便性を向上させるために、インターネット接続機能を備えるとともに、少なくとも、電話機能と電子メール送受信機能とを必ず備えるようになってきている。さらに、電話機能のみならず電子メール送受信機能についても、ユーザの使い勝手を改善するために種々の提案がなされている。
【０００３】
例えば、特許文献１の特開２００５−１８４１０２号公報「緊急連絡機能付き携帯電話装置および緊急連絡システム」においては、ユーザが緊急事態モードへの切り替えを行った際に、警報音を鳴動させるとともに、カメラにより撮像した画像データを含む緊急連絡情報を緊急連絡機関へメール送信する技術を提案している。
【０００４】
特許文献２の特開２００５−０５７５３９号公報「携帯通信装置」においては、携帯電話端末への電話着信時に、あらかじめ登録しておいた応答用のメッセージを画面表示して、ユーザが選択した応答用のメッセージを発信元に自動的にメール送信する技術を提案している。
【０００５】
また、特許文献３の特開２００６−０６０４３１号公報「携帯電話端末および携帯電話端末におけるメール受信通報方法」においては、電子メールを受信した際に、着信音を一定時間鳴動させた後、電子メールの本文を読み上げ用テキストの音声情報に変換して、音声情報として出力することにより、携帯端末装置の画面を見なくても、聴覚により受信メールの内容を把握することができる技術を提案している。
【０００６】
また、特許文献４の特開２００４−３２０６３９号公報「端末装置及びそのメール簡易送信方法」においては、ワンタッチメール発信ボタンの押下操作により、独り暮らしの高齢者の様子を通知するメール文に時刻情報を埋め込んであらかじめ登録したメール送信先へメール送信する技術が提案されている。
【先行技術文献】
【特許文献】
【０００７】
【特許文献１】特開２００５−１８４１０２号公報（第３−５頁）
【特許文献２】特開２００５−０５７５３９号公報（第１０−１１頁）
【特許文献３】特開２００６−０６０４３１号公報（第５−７頁）
【特許文献４】特開２００４−３２０６３９号公報（第６−７頁）
【発明の概要】
【発明が解決しようとする課題】
【０００８】
しかしながら、前記特許文献１ないし特許文献４にて提案されているような従来技術においては、次のような問題がある。
【０００９】
一般に、会議中や受講中等の環境下においては、ユーザが、携帯電話端末等の携帯端末装置を手に持って、表示画面や操作部を見ながら操作することは好ましくない。したがって、前記特許文献１ないし特許文献４のような従来の携帯端末装置のままでは、周囲の人に不快感を与えることなく、自分の現在の状況を第三者に対して自発的に連絡することはできなかった。
【００１０】
また、携帯端末装置の画面や操作部を見ないでメール送信を行おうとしても、メール送信に関する操作は複雑であり、誤操作を招くことが多かった。
【００１１】
（本発明の目的）
本発明は、かかる事情に鑑みてなされたものであり、表示部の画面や操作部を見ないで、簡便で、かつ、誤操作することなく、メール送信を行うことを可能とするメール送信方法、携帯端末装置およびメール送信プログラムを提供することを、その目的としている。
【課題を解決するための手段】
【００１２】
前述の課題を解決するため、本発明によるメール送信方法、携帯端末装置およびメール送信プログラムは、主に、次のような特徴的な構成を採用している。
【００１３】
（１）本発明によるメール送信方法は、電話機能とメール送受信機能とを少なくとも備え、かつ、あらかじめ登録した１ないし複数の登録定型メールの中から送信しようとする送信用メールを選択するための操作用のキーとしてあらかじめ定めたメール選択キーと、選択した前記送信用メールの送信先となる送信宛先をあらかじめ登録した１ないし複数の登録宛先の中から選択するための操作用のキーとしてあらかじめ定めた宛先選択キーとを、表示部の画面や操作部を見ることなく操作することができる位置に配置している携帯端末装置におけるメール送信方法であって、前記メール選択キーの長押し操作時の押下時間の長さにより、１ないし複数の前記登録定型メールの中から前記送信用メールを選択し、かつ、前記宛先選択キーの長押し操作時の押下時間の長さにより、１ないし複数の前記登録宛先の中から前記送信宛先を選択して、選択した前記送信用メールと選択した前記送信宛先とを組み合わせて電子メールを作成して、作成した該電子メールをメール送信することを特徴とする。
【００１４】
（２）本発明による携帯端末装置は、電話機能とメール送受信機能とを少なくとも備え、かつ、あらかじめ登録した１ないし複数の登録定型メールの中から送信しようとする送信用メールを選択するための操作用のキーとしてあらかじめ定めたメール選択キーと、選択した前記送信用メールの送信先となる送信宛先をあらかじめ登録した１ないし複数の登録宛先の中から選択するための操作用のキーとしてあらかじめ定めた宛先選択キーとを、表示部の画面や操作部を見ることなく操作することができる位置に配置している携帯端末装置であって、前記メール選択キーの長押し操作時の押下時間の長さにより、１ないし複数の前記登録定型メールの中から前記送信用メールを選択し、かつ、前記宛先選択キーの長押し操作時の押下時間の長さにより、１ないし複数の前記登録宛先の中から前記送信宛先を選択して、選択した前記送信用メールと選択した前記送信宛先とを組み合わせて電子メールを作成して、作成した該電子メールをメール送信することを特徴とする。
【００１５】
（３）本発明によるメール送信プログラムは、少なくとも前記（１）に記載のメール送信方法を、コンピュータによって実行可能なプログラムとして実施していることを特徴とする。
【発明の効果】
【００１６】
本発明のメール送信方法、携帯端末装置およびメール送信プログラムによれば、以下のような効果を奏することができる。
【００１７】
第１に、ユーザが携帯端末装置例えば携帯電話端末をポケット等の中から取り出して操作することが不可能な状況にあったとしても、定型メール送信機能用のキー（メール選択キー、宛先選択キー）としてあらかじめ定めた特定のキー例えばサイドキーを長押し操作するだけでメール送信を行うことが可能であるので、携帯端末装置例えば携帯電話端末の表示部の画面や操作部を見ることなく、ユーザは簡便にメール送信を行うことができる。
【００１８】
第２に、メール送信相手となる宛先とメール送信すべき定型メールとを登録宛先と登録定型メールとしてあらかじめ登録しておき、登録した１ないし複数の登録宛先と登録定型メールとの中から、または、未応答電話着信相手として電話帳内に格納されているメールアドレスと登録した登録定型メールとの中から、送信したい所望の送信宛先（登録宛先または電話帳内のメールアドレス）と送信用メール（登録定型メール）とを、前記特定のキー例えばサイドキーの長押し時の押下時間の長さを示す単位時間（例えば１秒）の経過回数に基づいて選択して、選択した送信宛先（登録宛先または電話帳内のメールアドレス）と送信用メール（登録定型メール）とを組み合わせてメール送信を行うことが可能であるので、ユーザの誤操作を減らすことができる。
【図面の簡単な説明】
【００１９】
【図１】本発明に係る携帯端末装置のブロック構成の一例を示すブロック構成図である。
【図２】図１に示す携帯電話端末の構造の一例を示す斜視図である。
【図３】図１の携帯電話端末の記憶部に登録した定型メールと定型メール宛先とのデータ構造の一例を示すデータ構造図である。
【図４】図１の携帯電話端末の動作の一例を説明するための動作イメージ図である。
【図５】図１の携帯電話端末の第１の実施形態における特定のキーの押下操作の一例を示すフローチャートである。
【図６】図１の携帯電話端末の第１の実施形態における定型メール送信動作の一例を示すフローチャートである。
【図７】図１の携帯電話端末の第２の実施形態における定型メール送信動作の一例を示すフローチャートである。
【発明を実施するための形態】
【００２０】
以下、本発明によるメール送信方法、携帯端末装置およびメール送信プログラムの好適な実施形態について添付図を参照して説明する。なお、以下の説明においては、本発明による携帯端末装置およびメール送信方法について説明するが、かかるメール送信方法をコンピュータにより実行可能なメール送信プログラムとして実施するようにしても良いし、あるいは、メール送信プログラムをコンピュータにより読み取り可能な記録媒体に記録するようにしても良いことは言うまでもない。なお、本発明に係る携帯端末装置は、電話機能を備え、かつ、インターネット網に接続して電子メールを送受信するメールソフトを実装し、かつ、ユーザが操作する操作部としてキー、静電容量パッド、タッチパネルなどを有している携帯端末装置であれば、如何なる種類の端末装置であっても良く、例えば、携帯電話端末、ＰＨＳ（Personal Handy-Phone System）端末、携帯情報端末（ＰＤＡ：Personal Digital Assistants）、パーソナルコンピュータ(ＰＣ：Personal Computer)等の機器に好適に適用することができる。
【００２１】
（本発明の特徴）
本発明の実施形態の説明に先立って、本発明の特徴についてその概要をまず説明する。本発明は、ユーザがポケットから携帯端末装置を取り出して操作することができない環境下（例えば会議中や受講中の室内等）にいる場合であっても、携帯電話端末をポケット等の中に入れたままの状態で、携帯電話端末の画面を見ることなく、操作することができる手段を具備し、かつ、あらかじめ登録してある宛先とメール本文とを組み合わせることにより、メール送信を行うことを可能としていることを主要な特徴としている。
【００２２】
すなわち、画面を見ることなく操作することができる手段として、あらかじめ登録している宛先やメール本文の選択用のキーとしてあらかじめ定めた特定のキーを用い、該特定のキーの押下時間の長さによって、あらかじめ登録している１ないし複数の登録宛先と１ないし複数の登録定型メール（タイトルおよびメール本文）との中から送信しようとする送信宛先と送信用メール（タイトルおよびメール本文）とを選択する手段を備えることによって、選択した送信宛先（登録宛先）と送信用メール（登録定型メール）とを組み合わせて、所望の宛先に対して所望のメール本文を有する電子メールをメール送信することができるようにしている。
【００２３】
（実施形態の構成例）
次に、本発明に係る携帯端末装置のブロック構成について、その一例を、図１を用いて説明する。図１は、本発明に係る携帯端末装置のブロック構成の一例を示すブロック構成図であり、本発明に係る携帯端末装置として携帯電話端末を用いている場合について示している。
【００２４】
図１に示すように、本実施形態における携帯電話端末００１は、制御部０１０、表示部０２０、キー操作部０３０、バイブレータ０４０、バッテリー０５０、無線部０６０、アンテナ０６１、レシーバ０７０、マイク０８０を少なくとも含んで構成されている。本携帯電話端末００１においては、電話機能とメール送受信機能とを少なくとも備えており、かつ、ユーザが操作する操作部としてキー操作部０３０を備えている場合を示している。
【００２５】
制御部０１０は、当該携帯電話端末００１の動作を制御する制御プログラムや、相手の電話番号やメールアドレスを格納する電話帳や、送信しようとする定型メールのタイトル、メール本文を登録する登録定型メールや、定型メールを送信しようとする宛先を登録する登録宛先等を記憶している記憶部０１２、当該携帯電話端末００１への給電や電池充電を管理する電源管理部０１３、制御プログラムの動作により時間計測を行うタイマーや各種の制御や演算を実施する処理機能を有するＭＰＵ０１１を含んで構成されている。ここで、制御部０１０は、キー操作部０３０において、定型メールの送信機能用としてあらかじめ定めた特定のキーが押下された状態と解放された状態とを検知して、押下から解放までの時間をＭＰＵ０１１内のタイマーにて計測することによって、該特定のキーの押下時間の長さに従って送信しようとする定型メールに関する送信用のメール（タイトルおよびメール本文）と該定型メールの送信宛先とを選択してメール送信する動作を行う。
【００２６】
なお、携帯電話端末００１は、折り畳み型筐体構造であり、キー操作部０３０は、番号入力などを行うことが可能な他、各種機能呼び出しにも使用することができるキーを備えているとともに、当該携帯電話端末００１の筐体側面部には、図２のようなサイドキー０３１を定型メール送信用の特定のキーとして備えている。図２は、図１に示す携帯電話端末００１の構造の一例を示す斜視図であり、キー操作部０３０の一部として、筐体側面部にサイドキー０３１を配置している例を示している。ただし、本発明に係る携帯端末装置は、かかる筐体構造やキーの配置に限るものではなく、ユーザが表示部０２０の画面やキー操作部０３０のキーを見ることなく、定型メール送信用の特定のキーを操作することが可能であれば、如何なる筐体構造であっても良いし、また、如何なるキー配置であっても構わない。
【００２７】
また、図１に示す携帯電話端末００１の制御部０１０は、通常の電話帳機能とは別に、記憶部０１２にあらかじめ登録した定型文からなる定型メールを送信するメール宛先を定型メール宛先として記憶部０１２に登録する機能を備えている。図３は、図１の携帯電話端末００１の記憶部０１２に登録した定型メールと定型メール宛先とのデータ構造の一例を示すデータ構造図であり、ツリー形状のデータ構造として例示している。
【００２８】
記憶部０１２に登録する定型メール宛先１００は、図３の登録宛先１  １０１,登録宛先２  １０２，登録宛先３  １０３に示すように、複数のメール宛先を登録することができ、登録宛先１  １０１,登録宛先２  １０２，登録宛先３  １０３それぞれに、例えば"example_001@xxx.co.jp"、"example_002@xxx.co.jp"、"example_003@xxx.co.jp"のごとく、メールアドレス１０４，１０５，１０６を登録することができる。また、定型メール１１０についても、同様に、図３の登録定型メール１  １１１,登録定型メール２  １１２，登録定型メール３  １１３に示すように、複数の定型メール文を登録することができ、登録定型メール１  １１１,登録定型メール２  １１２，登録定型メール３  １１３それぞれに、例えば、送信用メール１、送信用メール２、送信用メール３のごとく、それぞれで異なる本文からなる定型メール文１１４，１１５，１１６を登録することができる。
【００２９】
ここで、定型メール宛先１００の登録宛先１  １０１,登録宛先２  １０２，登録宛先３  １０３および定型メール１１０の登録定型メール１  １１１,登録定型メール２  １１２，登録定型メール３  １１３は、それぞれ、管理番号を付して管理されている。付された該管理番号は、ユーザが定型メール宛先１００の複数の登録宛先１  １０１,登録宛先２  １０２，登録宛先３  １０３および定型メール１１０の複数の登録定型メール１  １１１,登録定型メール２  １１２，登録定型メール３  １１３の中から、任意の登録宛先、登録定型メールを指定する際の選択用の番号となる。
【００３０】
定型メール宛先１００の登録宛先１  １０１,登録宛先２  １０２，登録宛先３  １０３および定型メール１１０の登録定型メール１  １１１,登録定型メール２  １１２，登録定型メール３  １１３それぞれの登録件数は任意であるが、ユーザが携帯電話端末００１の表示部０２０やキー操作部０３０を見ることなく操作を行い、所望の登録宛先に対して所望の登録定型メールを容易にメール送信することを可能とするために、ユーザが登録内容を容易に把握することができる範囲として、登録件数に上限を設けることが望ましい。図３に示す本実施形態においては、登録宛先、登録定型メールのいずれについても、登録件数の上限を３件に設定し、上限である３件ずつがあらかじめ登録されている例を示している。しかし、登録件数の上限以内であれば任意の件数を登録することができ、場合によっては、１件であっても良い。
【００３１】
（第１の実施形態の動作の説明）
次に、図１ないし図３に例示した携帯電話端末００１の動作について、その一例を、図４の動作イメージ図および図５、図６のフローチャートを参照して本発明の第１の実施形態として詳細に説明する。図４は、図１の携帯電話端末００１の動作の一例を説明するための動作イメージ図であり、あらかじめ登録した登録定型メールの中から送信用メールとして選択した登録定型メールを、あらかじめ登録した登録宛先の中から送信宛先として選択した登録宛先へメール送信する動作のイメージを説明している。
【００３２】
また、図５は、図１の携帯電話端末００１の第１の実施形態における特定のキーの押下操作の一例を示すフローチャートであり、定型メール宛先１００、定型メール１１０の登録項目の中からいずれかの項目を選択するためのキー操作部０３０の特定のキーとしてサイドキー０３１を用い、該サイドキー０３１の押下時間の長さ（単位時間の経過回数）により、定型メール宛先１００、定型メール１１０の登録項目の管理番号を指定する動作の一例を説明している。
【００３３】
また、図６は、図１の携帯電話端末００１の第１の実施形態における定型メール送信動作の一例を示すフローチャートであり、図５のフローチャートにおける特定のキーすなわちサイドキー０３１の押下操作より指定した管理番号に基づいて、定型メール宛先１００の中から定型メールの送信宛先を選択し、定型メール１１０の中から送信する定型メール文を送信用メールとして選択して、選択した送信宛先と送信用メール（定型メール文）とを組み合わせて作成した電子メールをメール送信する動作の一例を説明している。
【００３４】
まず、図４に示す動作イメージ図を用いて、図１ないし図３に例示した携帯電話端末００１の動作について説明する。図４に示す動作イメージ図においては、ユーザが、図３の定型メール宛先１００として登録した複数の登録宛先１  １０１,登録宛先２  １０２，登録宛先３  １０３の中から登録宛先２  １０２を送信宛先として選択し、図３の定型メール１１０として登録した登録定型メール１  １１１,登録定型メール２  １１２，登録定型メール３  １１３の中から登録定型メール１  １１１を送信用メール（タイトルおよびメール本文）として選択することによって、選択した登録宛先２  １０２と登録定型メール１  １１１とを送信すべき送信宛先と送信用メールとして組み合わせ、選択した登録宛先２  １０２に対して選択した登録定型メール１  １１１をメール送信する場合を示している。
【００３５】
まず、携帯電話端末００１のユーザは、図３の定型メール文１１４，１１５，１１６に示したように、送信しようとするメールの定型文を作成し、定型メール１１０の登録定型メール１  １１１,登録定型メール２  １１２，登録定型メール３  １１３それぞれとして、記憶部０１２にあらかじめ登録する。同様に、ユーザは、図３のメールアドレス１０４，１０５，１０６に示したように、定型メールをメール送信しようとする宛先を、定型メール宛先１００の登録宛先１  １０１,登録宛先２  １０２，登録宛先３  １０３それぞれとして、記憶部０１２にあらかじめ登録する。
【００３６】
しかる後に、携帯電話端末００１のユーザが、特定の宛先に対してメール送信を行おうとして、定型メール宛先１００に登録した複数の登録宛先１  １０１,登録宛先２  １０２，登録宛先３  １０３の中から登録宛先２  １０２を選択すると（シーケンスＳｅｑ１）、図３に示したように、"example_002@xxx.co.jp"というメールアドレス１０５が取り出されて、送信しようとする定型メールの送信宛先として設定される（シーケンスＳｅｑ２）。
【００３７】
さらに、ユーザが、選択したメールアドレス１０５の宛先に対してメール送信を行うメール本文として、定型メール１１０に登録した複数の登録定型メール１  １１１,登録定型メール２  １１２，登録定型メール３  １１３の中から登録定型メール１  １１１を選択すると（シーケンスＳｅｑ３）、図３に示したように、送信用メール１という定型メール文１１４が取り出されて、送信メールのタイトルおよび本文欄に設定される（シーケンスＳｅｑ４）。ここで、図４においては、送信用メール１という定型メール文１１４は、「タイトル」が「遅れます」であり、「本文」が「申し訳ありません。打ち合わせが長引いており、予定時間にそちらに向かうことができません。打ち合わせ終了後に、再度連絡させていただきます。」である場合を例示している。
【００３８】
かくのごとく、携帯電話端末００１のユーザが、メール送信すべき宛先として登録宛先２  １０２を選択し、送信すべき定型メール文として登録定型メール１  １１１を選択すると、選択した登録宛先２  １０２と登録定型メール１  １１１とを送信しようとする送信宛先と送信用メール（タイトルおよびメール本文）として組み合わせた一つの電子メールを自動的に作成し、メール送信を行う（シーケンスＳｅｑ５）。
【００３９】
次に、ユーザによる特定のキーの押下操作によって、図４に示した定型メール宛先１００および定型メール１１０を選択する操作の具体例について、図５のフローチャートを用いてさらに説明する。ここで、図５のフローチャートにおいては、登録宛先選択用の特定キー（すなわち宛先選択キー）、登録定型メール選択用の特定キー(すなわちメール選択キー)としてあらかじめ定めたキー操作部３０の特定のキーを長押しすることにより、該特定のキーの押下時間の長さを示す単位時間（例えば１秒）の経過回数に応じて、定型メール宛先１００の複数の登録宛先１  １０１,登録宛先２  １０２，登録宛先３  １０３の中のいずれかを選択し、定型メール１１０の複数の登録定型メール１  １１１,登録定型メール２  １１２，登録定型メール３  １１３の中のいずれかを選択する場合について示している。さらに、図５のフローチャートにおいては、登録宛先選択用の特定キー（すなわち宛先選択キー）、登録定型メール選択用の特定キー(すなわちメール選択キー)としてあらかじめ定めたキー操作部３０の特定のキーは、いずれも、同一の一つのキーであり、かつ、表示部０２０の画面やキー操作部０３０を見ることなく、押下操作することが可能なキーとして、図２に示したように、携帯電話端末００１の筐体側面部に配置しているサイドキー０３１を用いる場合について示している。
【００４０】
ここで、登録宛先選択用の特定キー（すなわち宛先選択キー）および登録定型メール選択用の特定キー(すなわちメール選択キー)としてあらかじめ定めた特定のキーであるサイドキー０３１の押下時間の長さが、単位時間例えば１秒の何倍であったかにより、定型メール宛先１００、定型メール１１０それぞれに登録されている複数の項目を管理するための管理番号の第何番目に該当するかを指定する。すなわち、サイドキー０３１の押下時間の長さが、単位時間例えば１秒の何倍であったかにより、定型メール宛先１００の複数の登録宛先１  １０１,登録宛先２  １０２，登録宛先３  １０３の中の何番目かを選択し、同様に、定型メール１１０の複数の登録定型メール１  １１１,登録定型メール２  １１２，登録定型メール３  １１３の中の何番目かを指定する。例えば、サイドキー０３１の押下時間の長さが、単位時間の１秒の２倍に相当する２秒（つまり単位時間１秒の経過回数が'２'）であった場合には、定型メール宛先１００の複数の登録宛先１  １０１,登録宛先２  １０２，登録宛先３  １０３の中の第２番目の登録宛先２  １０２を選択し、同様に、定型メール１１０の複数の登録定型メール１  １１１,登録定型メール２  １１２，登録定型メール３  １１３の中の第２番目の登録定型メール２  １１２を選択する。
【００４１】
図５において、携帯電話端末００１において、キー操作部０３０からの入力の受付けが可能な状態になると、図５のフローチャートが常時起動された状態になり、キー操作部０３０のサイドキー０３１の押下操作が検出されると（ステップＳ５００）、制御部０１０におけるＭＰＵ０１１のタイマーが起動されて、サイドキー０３１の押下時間の長さの計測処理が開始される。しかる後、ＭＰＵ０１１のタイマーが最初の単位時間の１秒を経過するまでの間にサイドキー０３１の押下解放がなされたか否かを監視する（ステップＳ５０１）。
【００４２】
ＭＰＵ０１１のタイマーが最初の単位時間の１秒を経過する前にサイドキー０３１の押下解放が検出された場合（ステップＳ５０１のＹＥＳ）、ユーザがサイドキー０３１の長押し操作に失敗しているものと看做して、操作失敗として（ステップＳ５０８）、処理を終了する。
【００４３】
一方、ＭＰＵ０１１のタイマーが最初の単位時間の１秒を経過しても、サイドキー０３１の押下解放が検出されなかった場合は（ステップＳ５０１のＮＯ）、ユーザのサイドキー０３１の長押し操作が成功裡に実施されているものと判定して、サイドキー０３１の押下時間の長さを計測するために、ＭＰＵ０１１のタイマーの計時動作を継続する。そして、ＭＰＵ０１１のタイマーが単位時間の１秒を経過する都度（ステップＳ５０２）、単位時間の１秒の経過回数に'１'を加算して（ステップＳ５０３）、押下時間の長さを示す単位時間の経過回数を、携帯電話端末００１に備えられている例えばバイブレータ０４０の振動回数等によって、ユーザに通知する（ステップＳ５０４）。
【００４４】
しかる後、押下時間の長さを示す単位時間の経過回数が、許容される最長の押下時間である押下最大時間まで経過したか否かを確認する（ステップＳ５０５）。単位時間の経過回数が、押下最大時間まで経過した場合は（ステップＳ５０５のＹＥＳ）、許容される最長の押下時間が経過しても、まだ、サイドキー０３１の押下状態が継続し、記憶部０１２にあらかじめ登録されている登録宛先、登録定型メールの登録件数の上限値よりも、単位時間の経過回数が多くなっている状態であり、ユーザがサイドキー０３１の長押し操作に失敗しているものと看做して、操作失敗として（ステップＳ５０８）、処理を終了する。
【００４５】
一方、単位時間の経過回数が、押下最大時間まで経過していない場合は（ステップＳ５０５のＮＯ）、再度、サイドキー０３１の押下解放がなされたか否かを確認する（ステップＳ５０６）。サイドキー０３１の押下解放が検出されなかった場合は（ステップＳ５０６のＮＯ）、ユーザが、所望の登録宛先、登録定型メールを選択するために、サイドキー０３１の長押しをさらに継続している状態であり、ステップＳ５０２に復帰して、押下時間の長さを示す単位時間の経過回数を更新する処理を繰り返す。
【００４６】
ここで、押下最大時間は、サイドキー０３１の押下時間の長さを示す単位時間の経過回数が、記憶部０１２にあらかじめ登録されている登録宛先、登録定型メールの登録件数を超えて、登録宛先、登録定型メールの有効な選択動作を実施できなくなる上限の押下時間を示すものであり、ユーザがサイドキー０３１を押下したまま、処理が停止してしまうことを防ぐためのタイムアウト時間である。押下最大時間は、登録宛先、登録定型メールそれぞれにおいて、それぞれの登録件数に'１'を加えて、単位時間例えば１秒を乗算した時間である。例えば、図３において説明した例においては、定型メール宛先１００としては、登録宛先１  １０１，登録宛先２  １０２，登録宛先３  １０３の３件を登録し、また、定型メール１１０としては、登録定型メール１  １１１，登録定型メール２  １１２，登録定型メール３  １１３の３件を登録しているので、登録宛先、登録定型メールのいずれの選択動作時においても、単位時間を１秒とすると、４秒が押下最大時間になる。
【００４７】
ステップＳ５０６において、サイドキー０３１の押下解放を検出すると（ステップＳ５０６のＮＯ）、ユーザが、所望の登録宛先、登録定型メールを選択した状態で、サイドキー０３１の長押し状態を解放したものとして、サイドキー０３１を押下していた押下時間の長さに該当する単位時間の経過回数を、定型メール宛先１００の登録宛先、定型メール１１０の登録定型メールを選択するための管理番号として決定する（ステップＳ５０７）。例えば、サイドキー０３１を押下していた押下時間の長さが２秒であり、単位時間の経過回数が'２'であった場合は、登録宛先、登録定型メールそれぞれについて、管理番号'２'を指定していることになる。つまり、定型メール宛先１００の場合には、第２番目の登録宛先２  １０２を、定型メールを送信すべき送信宛先として選択していることになり、定型メール１１０の場合には、同様に、第２番目の登録定型メール２  １１２を送信すべき送信用メール（定型メールのタイトルおよびメール本文）として選択していることになる。
【００４８】
登録宛先、登録定型メールの選択操作のための特定のキーとしてあらかじめ定めたキー操作部０３０のサイドキー０３１は、図２に示すように、携帯電話端末００１の筐体側面部に配置されているので、携帯電話端末００１を例えばポケットに入れたままの状態であっても、サイドキー０３１の押下操作を行うことが可能である。
【００４９】
また、サイドキー０３１の長押し時の押下時間の長さのみを用いて、登録宛先、登録定型メールの選択操作を行うことができるので、携帯電話端末００１の表示部０２０の画面を見なくても、操作するキーを見失うことがなく、所望の登録定型メールを所望の登録宛先に容易にかつ確実に送信することが可能となる。すなわち、登録宛先、登録定型メールそれぞれの選択には、サイドキー０３１の長押しによる押下時間の長さすなわち単位時間例えば１秒の経過回数のみが必要なだけであり、複数回のキー押下操作を行う場合とは異なり、ユーザの誤操作を確実に減らすことが可能となる。
【００５０】
次に、図６のフローチャートを用いて、図５のフローチャートにて説明した特定のキーすなわちサイドキー０３１の押下操作より指定した管理番号に基づいて、定型メール宛先１００の中から定型メールの登録宛先を送信宛先として選択し、定型メール１１０の中から送信する登録定型メールを送信用メールとして選択して、選択した登録宛先に対して選択した登録定型メールを送信する定型メールの送信動作の具体例についてさらに説明する。なお、図６のフローチャートにおいては、図５において説明した登録宛先選択用の特定キー(すなわち宛先選択キー)、登録定型メール選択用の特定キー(すなわちメール選択キー)のみならず、図６のフローチャートを起動するための定型メール送信機能の起動用の特定キー（すなわちメール送信起動キー）についても、同一のサイドキー０３１を用いる場合を示している。
【００５１】
ユーザが、あらかじめ登録した登録定型メールを登録宛先に対してメール送信する定型メール送信機能の起動用のキー（すなわちメール送信起動キー）としてキー操作部０３０の中であらかじめ割り付けられているキー例えばサイドキー０３１を押下操作することにより、定型メール送信機能を起動する（ステップＳ６００）。定型メール送信機能が起動されると、制御部０１０は、登録定型メールを送信しようとする送信宛先を、記憶部０１２に登録されている定型メール宛先１００の複数の登録宛先の中から選択する動作を開始する（ステップＳ６０１）、また、送信宛先の選択動作が開始され、ユーザが定型メール宛先１００の複数の登録宛先の中から送信宛先を選択する操作を開始することを促す通知を当該ユーザへ行うために、送信宛先選択開始通知として例えばバイブレータ０４０を振動させることによってユーザに通知する（ステップＳ６０２）。
【００５２】
送信宛先選択開始通知を受け取ったユーザは、図５のフローチャートにて説明したように、送信宛先選択用のキー（すなわち宛先選択キー）としてあらかじめ定めた特定のキー例えばサイドキー０３１を長押しすることによって、送信宛先の選択操作を行う（ステップＳ６０３）。つまり、サイドキー０３１の押下時間の長さを示す単位時間の経過回数にて、定型メール宛先１００の複数の登録宛先の第何番目かを管理する管理番号を指定し、指定した管理番号の登録宛先を定型メールの送信宛先として選択する。
【００５３】
しかる後、送信宛先選択用のキー（すなわち宛先選択キー）としてあらかじめ定めた特定のキー例えばサイドキー０３１を長押し操作により送信宛先を正常に選択することができたか否かを確認する（ステップＳ６０４）。正常に選択することができなく、送信宛先を決定することができなかった場合には（ステップＳ６０４のＮＯ）、ユーザに対して送信宛先の選択操作が失敗したことを通知するために、例えばバイブレータ０４０を振動させて操作失敗の旨を通知し（ステップＳ６１０）、定型メール送信機能の処理を終了する。
【００５４】
これに対して、送信宛先の選択動作を正常に行うことができ、送信宛先を決定することができた場合は（ステップＳ６０４のＹＥＳ）、次に、決定した当該送信宛先に対して送信しようとする送信用メールを、記憶部０１２に登録されている定型メール１１０の複数の登録定型メールの中から選択する動作を開始する（ステップＳ６０５）、また、送信用メールの選択動作が開始され、ユーザに定型メール１１０の複数の登録定型メールの中から送信用メールを選択する操作を開始することを促す通知をユーザへ行うために、送信用メール選択開始通知として例えばバイブレータ０４０を振動させることによってユーザに通知する（ステップＳ６０６）。
【００５５】
送信用メール選択開始通知を受け取ったユーザは、図５のフローチャートにて説明したように、送信用メール選択用のキー（言い換えれば登録定型メール選択用のキーすなわちメール選択キー）としてあらかじめ定めた特定のキー例えばサイドキー０３１を長押しすることによって、送信用メールの選択操作を行う（ステップＳ６０７）。つまり、送信宛先の選択操作の場合と同様、サイドキー０３１の押下時間の長さを示す単位時間の経過回数にて、定型メール１１０の複数の登録定型メールの第何番目かを管理する管理番号を指定し、指定した管理番号の登録定型メールを、ステップＳ６０３において選択した送信宛先に送信しようとする送信用メールとして選択する。
【００５６】
しかる後、送信用メール選択用のキー（すなわちメール選択キー）としてあらかじめ定めた特定のキー例えばサイドキー０３１を長押し操作により送信用メールを正常に選択することができたか否かを確認する（ステップＳ６０８）。正常に選択することができなく、送信用メールを決定することができなかった場合には（ステップＳ６０８のＮＯ）、ユーザに対して送信用メールの選択操作が失敗したことを通知するために、例えばバイブレータ０４０を振動させて操作失敗の旨を通知し（ステップＳ６１０）、定型メール送信機能の処理を終了する。
【００５７】
これに対して、送信用メールを正常に選択することができ、送信用メールを決定することができた場合は（ステップＳ６０８のＹＥＳ）、ステップＳ６０３にて選択した送信宛先（登録宛先）とステップＳ６０７にて選択した送信用メール（登録定型メール）とを組み合わせた電子メールを送信メールとして作成し、作成した電子メールを選択した送信宛先（登録宛先）に対して送信し（ステップＳ６０９）、定型メール送信機能の処理を終了する。ここで、場合によっては、ユーザに対して、指定された定型メールに関する電子メールの送信動作が完了したことを通知するために、例えばバイブレータ０４０を振動させてその旨を通知するようにしても良い。
【００５８】
なお、バイブレータ０４０の振動モード（振動回数や振動周波数や振動間隔等）は、ユーザが正しく理解することができるように、送信宛先選択開始通知、送信宛先の選択操作失敗の旨の通知、送信用メール選択開始通知、送信用メールの選択操作失敗の旨の通知等の各通知ごとに、それぞれ異なる値を用いることが望ましい。つまり、本第１の実施形態においては、ユーザが携帯電話端末００１の表示部０２０やキー操作部０３０を見ることなく、あらかじめ登録した登録宛先、登録定型メールを同一の一つの特定キー例えばサイドキー０３１の長押し操作のみを複数回繰り返すだけで選択することにより、所望の宛先へ所望の電子メールを送信する操作を行うことを可能とするために、操作段階を示す状態遷移過程をユーザに通知する方法として、バイブレータ０４０の振動モードを変化させて通知することが望ましい。
【００５９】
また、図５や図６に示したフローチャートにおいては、あらかじめ定めた定型メール送信機能の起動用の特定キー（すなわちメール送信起動キー）、登録宛先選択用の特定キー（すなわち宛先選択キー）、登録定型メール選択用の特定キー（すなわちメール選択キー）を、いずれも、サイドキー０３１という一つの同一のキーを用いて、定型メール送信機能の起動用、登録宛先選択用、登録定型メール選択用の各操作段階それぞれの場面に応じて、サイドキー０３１という同一のキーの押下操作を繰り返すという場合について説明したが、本発明は、かかる場合に限るものではない。例えば、それぞれのキーの配置位置を目で確認することなく手探りであっても確実に分かるような実装形態（例えば、携帯電話端末００１の筐体の左右上下の側面部等にそれぞれを分離して配置する実装形態等）を採用している場合には、定型メール送信機能の起動用の特定キー（すなわちメール送信起動キー）、登録宛先選択用の特定キー（すなわち宛先選択キー）、登録定型メール選択用の特定キー（すなわちメール選択キー）のそれぞれで異なるキーを用いるようにしても構わない。さらには、特定のキーとして、キー操作部０３０内のキー例えばサイドキー０３１のような押下操作を行うボタンを用いる場合について説明したが、かかる場合のみに限るものではなく、場合によっては、タッチパネルや静電容量パッド等の操作手段を用いるようにしても構わない。
【００６０】
また、図５や図６に示したフローチャートにおいては、操作の失敗が発生した場合に、選択操作のやり直しを行うことにしていないが、その理由は、ユーザが表示部０２０を見ない状態で操作を行うこととしているので、ユーザが携帯電話端末００１の状態遷移過程を正確に確認するための手段を提供していないためである。すなわち、選択操作のやり直しを行うようにした場合には、ユーザへの通知回数や状態遷移の状態数がさらに増加することになり、携帯電話端末００１の状態遷移過程を確認することができないユーザは、携帯電話端末００１が現在どの選択操作を行おうとしている状態にあるのかを正しく把握できなくなるので、かかる事態の発生を防ぐためである。
【００６１】
（第１の実施形態の効果の説明）
以上に詳細に説明したように、本第１の実施形態においては、次のような効果が得られる。
【００６２】
第１に、ユーザが携帯端末装置例えば携帯電話端末００１をポケット等の中から取り出して操作することが不可能な状況にあったとしても、定型メール送信機能用のキー（メール選択キー、宛先選択キー等）としてあらかじめ定めた特定のキー例えばサイドキー０３１を長押し操作するだけでメール送信を行うことが可能であるので、携帯端末装置例えば携帯電話端末００１の表示部０２０の画面やキー操作部０３０を見ることなく、ユーザは簡便にメール送信を行うことができる。
【００６３】
第２に、メール送信相手となる宛先とメール送信すべき定型メールとを登録宛先と登録定型メールとして記憶部０１２にあらかじめ登録しておき、登録した１ないし複数の登録宛先と登録定型メールとの中から、送信したい所望の送信宛先（登録宛先）と送信用メール（登録定型メール）とを、特定のキー例えばサイドキー０３１の長押し時の押下時間の長さを示す単位時間例えば１秒の経過回数に基づいて選択して、選択した送信宛先（登録宛先）と送信用メール（登録定型メール）とを組み合わせてメール送信を行うことが可能であるので、ユーザの誤操作を減らすことができる。
【００６４】
（第２の実施形態の動作の説明）
次に、図１ないし図３に例示した携帯電話端末００１の動作について、図６のフローチャートの場合とは異なる例を、図７のフローチャートを参照して本発明の第２の実施形態として詳細に説明する。図７は、図１の携帯電話端末００１の第２の実施形態における定型メール送信動作の一例を示すフローチャートであり、図６のフローチャートとは異なる定型メール送信動作の例を示している。
【００６５】
すなわち、図７に示す本第２の実施形態においては、定型メール送信機能の起動契機が、例えば、電話着信時に応答することができなく、未応答の電話着信の記録が着信履歴に残っていることをユーザが確認した場合であり、定型メールの送信先となる送信宛先を選択する動作が、第１の実施形態の場合とは異なり、定型メールの送信宛先として図４のようにあらかじめ登録した定型メール宛先１００の登録宛先の中から選択する代わりに、記憶部０１２にあらかじめ登録されている電話帳の中から、未応答の電話着信をした着信相手側（すなわち電話発信側）のメールアドレスを、定型メールを送信しようとする送信宛先として検索して、検索したメールアドレス宛に、定型メール１１０に登録されている登録定型メールの中から選択した登録定型メールを送信用メールとして送信する場合を示している。
【００６６】
なお、定型メール１１０に登録されている登録定型メールの中から送信用メールを選択するためのユーザの操作方法については、本第２の実施形態においても、図５のフローチャートと全く同様であり、図５のフローチャートにおける特定のキーすなわちサイドキー０３１の押下操作より指定した管理番号に基づいて、定型メール１１０の中から送信すべき登録定型メールを送信用メールとして選択し、電話帳から検索した送信宛先と定型メール１１０の中から選択した送信用メール（タイトルおよびメール本文）とを組み合わせて作成した電子メールをメール送信する。
【００６７】
図７のフローチャートにおいて、携帯電話端末００１に電話着信があった際に、応答することができなく、電話着信が切れてしまうと、着信履歴に、未応答の電話着信があった旨が記録される（ステップＳ７００）。しかる後、ユーザが、着信履歴に未応答電話着信があった旨の記録が残っていることを確認すると、あらかじめ登録した登録定型メールを当該未応答電話着信の着信相手側のメールアドレスに対してメール送信する定型メール送信機能の起動用のキー（すなわちメール送信起動キー）としてキー操作部０３０の中であらかじめ割り付けられているキー例えばサイドキー０３１を押下操作することにより、定型メール送信機能を起動する（ステップＳ７０１）。
【００６８】
定型メール送信機能が起動されると、制御部０１０は、電話帳の中から未応答電話着信の着信相手側（すなわち電話発信側）のメールアドレスを該着信相手側の電話番号（発信電話番号）を基にして検索し、定型メールの送信宛先として決定する動作を行う（ステップＳ７０２）。ここで、制御部０１０は、着信履歴に未応答電話着信があった旨の記録が残っているか否かをユーザが確認することなく、定型メール送信機能が起動されている場合も想定して、着信履歴の中に未応答電話着信があるか否かをまず確認し、未応答電話着信があった場合に、該当する未応答電話着信の着信相手側のメールアドレスを検索する動作を行う。なお、着信履歴に複数の未応答電話着信が記録されていた場合には、最新の未応答電話着信の着信相手側のメールアドレスを検索するようにしても良いし、あるいは、複数の未応答電話着信の中から、定型メールを返送しようとする未応答電話着信の選択用としてあらかじめ定めた特定のキー例えばサイドキー０３１の押下時間の長さを示す単位時間の経過回数を用いて、最新の未応答電話着信から該経過回数に相当する数だけ過去に遡った未応答電話着信を選択し、選択した未応答電話着信の着信相手側のメールアドレスを検索するようにしても良い。
【００６９】
しかる後、電話帳の中から未応答電話着信に該当する着信相手側のメールアドレスが検索することができたか否かを確認する（ステップＳ７０３）。未応答電話着信に該当する着信相手側のメールアドレスを検索することができなく、送信宛先を決定することができなかった場合には（ステップＳ７０３のＮＯ）、ユーザに対して送信宛先の決定操作が失敗したことを通知するために、例えばバイブレータ０４０を振動させて送信宛先の決定失敗の旨を通知し（ステップＳ７１０）、定型メール送信機能の処理を終了する。
【００７０】
これに対して、未応答電話着信に該当する着信相手側のメールアドレスを検索することができ、送信宛先を決定することができた場合は（ステップＳ７０３のＹＥＳ）、決定した送信宛先を、定型メールの送信先のメールアドレスとして設定して送信宛先の選択動作を終了する（ステップＳ７０４）。
【００７１】
以降、図６のフローチャートと同様の動作を行う。すなわち、次に、決定した当該送信宛先に対して送信しようとする送信用メールを、記憶部０１２に登録されている定型メール１１０の複数の登録定型メールの中から選択する動作を開始する（ステップＳ７０５）、また、送信用メールの選択動作が開始され、ユーザに定型メール１１０の複数の登録定型メールの中から送信用メールを選択する操作を開始することを促す通知をユーザへ行うために、送信用メール選択開始通知として例えばバイブレータ０４０を振動させることによってユーザに通知する（ステップＳ７０６）。
【００７２】
送信用メール選択開始通知を受け取ったユーザは、図５のフローチャートにて説明したように、送信用メール選択用のキー（言い換えれば登録定型メール選択用のキーすなわちメール選択キー）としてあらかじめ定めた特定のキー例えばサイドキー０３１を長押しすることによって、送信用メールの選択操作を行う（ステップＳ７０７）。つまり、送信宛先の選択操作の場合と同様、サイドキー０３１の押下時間の長さを示す単位時間の経過回数にて、定型メール１１０の複数の登録定型メールの第何番目かを管理する管理番号を指定し、指定した管理番号の登録定型メールを、ステップＳ７０２において検索した送信宛先に送信しようとする送信用メールとして選択する。
【００７３】
しかる後、送信用メール選択用のキー（すなわちメール選択キー）としてあらかじめ定めた特定のキー例えばサイドキー０３１を長押し操作により送信用メールを正常に選択することができたか否かを確認する（ステップＳ７０８）。正常に選択することができなく、送信用メールを決定することができなかった場合には（ステップＳ７０８のＮＯ）、ユーザに対して送信用メールの選択操作が失敗したことを通知するために、例えばバイブレータ０４０を振動させて操作失敗の旨を通知し（ステップＳ７１０）、定型メール送信機能の処理を終了する。
【００７４】
これに対して、送信用メールを正常に選択することができ、送信用メールを決定することができた場合は（ステップＳ７０８のＹＥＳ）、ステップＳ７０２にて電話帳の中から検索した送信宛先とステップＳ７０７にて選択した送信用メール（登録定型メール）とを組み合わせた電子メールを送信メールとして作成し、作成した電子メールを、未応答電話着信の着信相手側のメールアドレスとして電話帳の中から検索した送信宛先に対して送信し（ステップＳ７０９）、定型メール送信機能の処理を終了する。ここで、場合によっては、ユーザに対して送信用メールの送信動作が完了したことを通知するために、例えばバイブレータ０４０を振動させてその旨を通知するようにしても良い。
【００７５】
以上のように、本第２の実施形態においては、電話着信に応答することができない状況が発生した場合、定型メールの送信用の宛先として、図４に示した定型メール宛先１００に未登録の相手であっても、電話帳に登録されている相手であれば、容易に、未応答電話着信となった着信相手側（すなわち電話発信側）に対して、電話着信に未応答になった状況の連絡を定型メールとして行うことができる。また、本第２の実施形態においても、ユーザが携帯端末装置例えば携帯電話端末００１をポケット等の中から取り出して操作することが不可能な状況にあったとしても、未応答の電話着信があった場合の当該未応答になった電話着信相手側のメールアドレスに対して定型メール送信機能用としてあらかじめ定めた特定のキー例えばサイドキー０３１を長押し操作するだけでメール送信を行うことが可能であるので、携帯端末装置例えば携帯電話端末００１の表示部０２０の画面やキー操作部０３０を見ることなく、ユーザは簡便にメール送信を行うことができる。
【００７６】
なお、バイブレータ０４０の振動モード（振動回数や振動周波数や振動間隔等）は、第１の実施形態の場合と同様、ユーザが正しく理解することができるように、送信宛先の検索失敗の旨の通知、送信用メール選択開始通知、送信用メールの選択操作失敗の旨の通知等の各通知ごとに、それぞれ異なる値を用いることが望ましい。
【００７７】
また、図７に示したフローチャートにおいては、あらかじめ定めた定型メール送信機能の起動用の特定キー（すなわちメール送信起動キー）、登録定型メール選択用の特定キー（すなわちメール選択キー）を、いずれも、サイドキー０３１という一つの同一のキーを用いる場合について説明したが、図６のフローチャートの場合と同様、それぞれのキーの配置位置を目で確認することなく手探りであっても確実に分かるような実装形態（例えば、携帯電話端末００１の筐体の左右上下の側面部等にそれぞれを分離して配置する実装形態等）を採用している場合には、定型メール送信機能の起動用の特定キー（すなわちメール送信起動キー）、登録定型メール選択用の特定キー（すなわちメール選択キー）のそれぞれで異なるキーを用いるようにしても構わない。さらには、特定のキーとして、キー操作部０３０内のキー例えばサイドキー０３１のような押下操作を行うボタンを用いる場合について説明したが、かかる場合のみに限るものではなく、場合によっては、タッチパネルや静電容量パッド等の操作手段を用いるようにしても構わない。
【００７８】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００７９】
００１      携帯電話端末
０１０      制御部
０１１      ＭＰＵ
０１２      記憶部
０１３      電源管理部
０２０      表示部
０３０      キー操作部
０３１      サイドキー
０４０      バイブレータ
０５０      バッテリー
０６０      無線部
０６１      アンテナ
０７０      レシーバ
０８０      マイク
１００      定型メール宛先
１０１      登録宛先１
１０２      登録宛先２
１０３      登録宛先３
１０４      メールアドレス
１０５      メールアドレス
１０６      メールアドレス
１１０      定型メール
１１１      登録定型メール１
１１２      登録定型メール２
１１３      登録定型メール３
１１４      定型メール文
１１５      定型メール文
１１６      定型メール文
【図１】
0005614805.tif 000002
【図２】
0005614805.tif 000003
【図３】
0005614805.tif 000004
【図４】
0005614805.tif 000005
【図５】
0005614805.tif 000006
【図６】
0005614805.tif 000007
【図７】
0005614805.tif 000008